(57)【要約】【課題】水田管理のためのデータ閲覧や設定の変更が必要なときには、何れの位置においても、また複数の人に容易にデータ閲覧や設定の変更を可能とさせて水田管理の能率向上化を図る。【解決手段】水田２の水を制御する水田管理システムにおいて、携帯電話１８などを利用し収集データの閲覧及び設定の変更を行う双方向の無線通信管理手段１３を設ける。【選択図】      図２
2004275146.tif 000002
【特許請求の範囲】
【請求項１】
水田の水を制御する水田管理システムにおいて、携帯電話などを利用し収集データの閲覧及び設定の変更を行う双方向の無線通信管理手段を設けたことを特徴とする水田管理システム。
【請求項２】
基地局に収集した情報を各水田管理者に無線通信する情報伝信手段を有したことを特徴とする請求項１記載の水田管理システム。
【発明の詳細な説明】
【０００１】
【発明の属する技術分野】
本発明は例えば水稲などの作物を栽培する水田にあって、水田の水を管理する水田管理システムに関する。
【０００２】
【従来の技術】
水田の水量及び水温を検出して適正な水量及び水温を自動的に維持させる技術がある。（例えば、特許文献１参照）
【０００３】
【特許文献１】特開平７−６４６５０
【０００４】
【発明が解決しようとする課題】
上記従来手段の場合、例えば基地局のホストコンピュータに収集されたデータの閲覧や、設定の変更を行うときには、その都度基地局まで行って閲覧や設定の変更を行う必要がある。
【０００５】
【課題を解決するための手段】
したがって本発明は、水田の水を制御する水田管理システムにおいて、携帯電話などを利用し収集データの閲覧及び設定の変更を行う双方向の無線通信管理手段を設けて、水田管理のためのデータ閲覧や設定の変更が必要なときには、何れの位置においても、また複数の人に容易にデータ閲覧や設定の変更を可能とさせて水田管理の能率向上化を図るものである。
【０００６】
また、基地局に収集した情報を各水田管理者に無線通信する情報伝信手段を有して、例えば各水田管理者が貯留する携帯電話などに現収集データをメールとして速やかに伝えて、水田管理の能率向上化を図るものである。
【０００７】
【発明の実施の形態】
以下、本発明の実施例を図面に基づいて詳述する。図１は圃場全体の側面図、河川または池などの水源の水を用水路１を介し水田２に送り込むもので、各水田に水を送給する給水栓３と、各水田の水を排出する排水栓４と、各水田２の水温を計測する水温センサ５と、各水田２の気温を計測する気温センサ６と、各水田２の水位を計測する水位センサ７と、地盤面または地中の温度を計測する地温センサ８と、農薬の代用特性である電気伝導度ＥＣを計測する電気伝導度センサ９と酸化環元電位度Ｅｈを計測する酸化環元電位度センサ１０とを有して給水栓３を開閉操作する給水無線端末装置１１と、排水栓４を開閉操作する排水無線端末装置１２と、ホストコンピュータなど水管理パソコンを情報収集装置１３に備える営農事務所などの基地局１４と、端末装置１１・１２及び基地局１４から発信される無線信号を中継する中継装置１５とを水田２周囲に配設させている。
【０００８】
そして図２に示す如く、各センサ５・６・７・８で計測する水温・気温・水位・地温などの各種データを端末装置１１・１２及び中継装置１５を介して基地局１４の情報収集装置１３に無線通信により伝達させ、給排水栓３・４の各電磁バルブ１６・１７を開閉動作させるコントローラ１８と情報収集装置１３とは中継装置１５を介し無線通信により連結させて、情報収集装置１３に入力する各種データに基づいて給排水栓３・４（電磁バルブ１６・１７）を遠隔操作で開閉制御するように構成している。
【０００９】
また、前記情報収集装置１３にインターネット網或いはパケット網の通信手段２０を介して携帯電話２１を双方向に通信接続させ、図３に示す如く、情報収集装置１３に入力される水位・水温・地温・気温の各種データや測定年月日・測定時間・測定圃場（水田）の情報をメール画面データに編集して出力させて、何れらの場所の何れの人にも情報を送付可能とさせて、収集データなど情報の閲覧を容易とさせると共に、携帯電話２１から設定の変更などを容易に可能とさせるように設けている。
【００１０】
上記からも明らかなように、水田２の水を制御する水田管理システムにおいて、携帯電話１８などを利用し収集データの閲覧及び設定の変更を行う双方向の無線通信管理手段である情報収集装置１３を設けたことによって、水田管理のためのデータ閲覧や設定の変更が必要なときには、何れの位置においても、また複数の人に容易にデータ閲覧や設定の変更を可能とさせて水田管理の能率向上化を図ることができる。
【００１１】
また、基地局１４に収集した情報を各水田管理者に無線通信する情報伝信手段２０を有したことによって、例えば各水田管理者が貯留する携帯電話２１などに現収集データをメールとして速やかに伝えて、水田管理の能率向上化を図ることができる。
【００１２】
また、水田管理システム上で故障などの異常発生時には故障の原因などをメール画面データに編集して携帯電話２１に情報収集装置１３から出力させて、異常発生を速やかに各水田管理者などに通知させる。
【００１３】
また図４に示す如く、２４時間管理を行うメンテナンスセンタ２２に基地局１４の情報収集装置１３を電話回線などの有線回路２３により接続させて、異常時発生時にはメンテナンスセンタ２２よりの基地局１４を介する遠隔操作で故障の原因を取除いて復旧させるもので、またメンテナンスセンタ２２より各水田管理者に連絡して対処させても良い。
【００１４】
図５は水田２の水温・水位・地温を検出センサ５・７・８を単一の外観ボルト状の円筒形検出部材２４内に収容する構成を示すもので、検出部材２４の上側頭部２４ａに各センサ５・７・８の信号処理部２５を埋込むと共に、下側ネジ部２４ｂの縦１列状に上方より水温センサ５・水位センサ７・地温センサ８を配設させ、検出部材２４をネジ込み設置させて硬い耕地でも設置を容易とさせ、設置高の微調整も容易に可能とさせている。
【００１５】
【発明の効果】
以上実施例から明らかなように本発明は、水田２の水を制御する水田管理システムにおいて、携帯電話１８などを利用し収集データの閲覧及び設定の変更を行う双方向の無線通信管理手段１３を設けたものであるから、水田管理のためのデータ閲覧や設定の変更が必要なときには、何れの位置においても、また複数の人に容易にデータ閲覧や設定の変更を可能とさせて水田管理の能率向上化を図ることができるものである。
【００１６】
また、基地局１４に収集した情報を各水田管理者に無線通信する情報伝信手段２０を有したものであるから、例えば各水田管理者が貯留する携帯電話２１などに現収集データをメールとして速やかに伝えて、水田管理の能率向上化を図ることができるものである。
【図面の簡単な説明】
【図１】水田の説明図。
【図２】管理回路図。
【図３】メールの出力フロー。
【図４】メンテナンスセンタの接続説明図。
【図５】検出部材の説明図。
【符号の説明】
１３    情報収集装置
１４    基地局
２０    情報通信手段
２１    携帯電話
【図１】
2004275146.tif 000003
【図２】
2004275146.tif 000004
【図３】
2004275146.tif 000005
【図４】
2004275146.tif 000006
【図５】
2004275146.tif 000007